(57)【要約】【課題】本考案は、釣竿を支持するために、簡便に構成した竿支持具を提供する。【解決手段】左右一対の支持部材１，１と左右一対の支脚２，２を開閉自在に連結した竿支持具３である。本実施例では、平行に配した左右一対の支持部材１，１の間には支持部材側架設部材４たる上部架設部材６、下部架設部材８、第１の中間架設部材９及び第２の中間架設部材10が架設され、支持部材１,１における上部架設部材８の架設箇所の背面側には軸受14,14が設けられており、一対の支脚２,２の上端部15,15を互いに対向するよう直角に折り曲げ形成された回動軸16,16が前記軸受14,14に回動自在に軸支されている。一対の支脚２,２の回動軸16,16の端部にはストッパ17,17が形成されて、上部架設部材６、第１の中間架設部材９及び第２の中間架設部材10には２つの竿支持用のホルダ18,18が並設されている。【選択図】図１
0003119400.tif 000002
【実用新案登録請求の範囲】
【請求項１】
左右一対の支持部材と、前記左右一対の支持部材の間を架設する支持部材側架設部材と、前記支持部材側架設部材に設けられた竿支持用のホルダと、前記左右一対の支持部材の背面に回動自在に設けられた左右一対の支脚と、前記左右一対の支持部材と前記左右一対の支脚との間に設けられたストッパとを備えたことを特徴とする竿支持具。
【請求項２】
前記左右一対の支持部材、前記支持部材側架設部材及び前記左右一対の支脚が棒材により形成されたことを特徴とする請求項１記載の竿支持具。
【請求項３】
前記左右一対の支持部材を平行に配した間に複数の前記支持部材側架設部材を平行に架設し、前記左右一対の支脚の下端部に支脚側架設部材を架設したことを特徴とする請求項１又は２に記載の竿支持具。
【請求項４】
前記左右一対の支持部材の背面に軸受を設け、前記左右一対の支脚の上端部に設けらた回動軸を前記軸受に回動自在に軸支し、前記回動軸の端部にはストッパが設けられていることを特徴とする請求項１〜３のいずれか１項に記載の竿支持具。
【請求項５】
前記ホルダは、前記支持部材側架設部材の少なくとも一方に設けられ平面が環状の第１の環状体と、該第１の環状体の下方に設けられ前記支持部材側架設部材の少なくとも一方に前記第１の環状体に対向して平面が環状の第２の環状体を設けると共に該第２の環状体の内側下部に底部材を備えた底部を設けたことを特徴とする請求項３又は４に記載の竿支持具。
【請求項６】
前記環状体を平面円状に形成したことを特徴とする請求項５に記載の竿支持具。
【考案の詳細な説明】
【技術分野】
【０００１】
本考案は、釣竿を支持する竿支持具である。
【背景技術】
【０００２】
従来、管理釣り場（釣り堀）又は防波堤等で釣りをするとき、複数本の釣竿を取替えながら使用している。そして複数本の釣竿を操るに当たって、使用していない釣竿は地面に置くことになるか、或いは支持具を使用することとなる。
【０００３】
そして、前記の支持具には、支柱に横支持棒を固定し、横支持棒に釣竿を持たせ掛けて使用するものがある（特許文献１）。
【特許文献１】登録実用新案第３０４３２７２号公報
【考案の開示】
【考案が解決しようとする課題】
【０００４】
しかし、地面に置かれている釣竿は、泥や砂等の汚れや傷がつき易く、更に、地面に置いたままの釣竿を所有者である本人も含め他の釣り人等が踏んでしまい、釣竿が破損する場合もある。また、前述の特許文献１の支持具を使用する場合には、支柱を立設しなければならず、コンクリート等の硬い地面では使用できないという課題を有していた。
【０００５】
そこで解決しようとする問題点は、前記課題を解消する竿支持具を提供することである。
【課題を解決するための手段】
【０００６】
請求項１の考案は、左右一対の支持部材と、前記左右一対の支持部材の間を架設する支持部材側架設部材と、前記支持部材側架設部材に設けられた竿支持用のホルダと、前記左右一対の支持部材の背面に回動自在に設けられた左右一対の支脚と、前記左右一対の支持部材と前記左右一対の支脚との間に設けられたストッパとを備えたことである。
【０００７】
請求項２の考案は、前記左右一対の支持部材、前記支持部材側架設部材及び前記左右一対の支脚が棒材により形成されたことである。
【０００８】
請求項３の考案は、前記左右一対の支持部材を平行に配した間に複数の前記支持部材側架設部材を平行に架設し、前記左右一対の支脚の下端部に支脚側架設部材を架設したことである。
【０００９】
請求項４の考案は、前記左右一対の支持部材の背面に軸受を設け、前記左右一対の支脚の上端部に設けらた回動軸を前記軸受に回動自在に軸支し、前記回動軸の端部にはストッパが設けられていることである。
【００１０】
請求項５の考案は、前記ホルダは、前記支持部材側架設部材の少なくとも一方に設けられ平面が環状の第１の環状体と、該第１の環状体の下方に設けられ前記支持部材側架設部材の少なくとも一方に前記第１の環状体に対向して平面が環状の第２の環状体を設けると共に該第２の環状体の内側下部に底部材を備えた底部を設けたことである。
【００１１】
請求項６の考案は、前記環状体を平面円状に形成したことである。
【考案の効果】
【００１２】
請求項１の考案によれば、釣竿をホルダに装着することにより釣竿が傷付くことを防ぐことができるとともに、竿支持具が折畳み可能なためコンパクトに折畳み持ち運ぶことができる。
【００１３】
請求項２の考案によれば、竿支持具を棒材により形成することで、竿支持具を軽量及び整備し易い構成にすることができる。
【００１４】
請求項３の考案によれば、平行な左右一対の支持部材の間に複数の支持部材側架設部材を平行に架設したことで、支持部材の強度を高め、左右一対の支脚の下端部に支脚側架設部材を架設したことで、支脚の強度を高めるので、竿支持具全体の強度が増し、釣竿を支持した状態での安定性を向上させることができる。
【００１５】
請求項４の考案によれば、支脚を支持部材に回動自在にする構成及び回動を制限する構成を簡単なものにすることができる。
【００１６】
請求項５の考案によれば、釣竿を支持するホルダの構成を簡単なものにすることができる。
【００１７】
請求項６の構成によれば、前記環状体を平面円状に形成したことにより、釣竿Ｓの脱着性及び装着時の釣竿Ｓの安定性についても優れたものにすることができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１乃至図６は実施例１を示しており、同図において本考案は左右一対の支持部材１，１と左右一対の支脚２，２を開閉自在に連結した竿支持具３である。本実施例では、平行に配した左右一対の支持部材１，１の間には支持部材側架設部材４が架設されており、前記支持部材側架設部材４は、左右一対の支持部材１,１を平行に配置し、その左右一対の支持部材１,１の間に複数の棒材を支持部材１,１と直交する向きに平行に配置し架設したものであり、前記支持部材側架設部材４は、支持部材１,１の上端５,５同士を架設する上部架設部材６と、支持部材１,１の下端７,７同士を架設する下部架設部材８と、上部架設部材６と下部架設部材８の間に平行に配置された第１の中間架設部材９及び第２の中間架設部材10とから構成される。
【００２０】
また、平行に配した左右一対の支脚２,２の下端部11,11には支脚側架設部材12が架設され脚部13が形成されている。
【００２１】
さらに、支持部材１,１における上部架設部材６の架設箇所の背面側には棒材の中央部分を半円弧状に曲折し形成した軸受14,14が設けられており、左右一対の支脚２,２の上端部15,15を互いに対向するよう直角に折り曲げ形成された回動軸16,16が前記軸受14,14に回動自在に軸支されている。左右一対の支脚２,２の回動軸16,16の端部を互いに平行とし、支脚２,２とは支脚２,２との平行線Ｘに対し挟角αをなすように延設されたストッパ17,17が形成されている。
【００２２】
上部架設部材６、第１の中間架設部材９及び第２の中間架設部材10には２つの竿支持用のホルダ18,18が並設されており、前記ホルダ18は上部架設部材６に設けられた平面が環状の第１の環状体19と、第２の中間架設部材10に設けられ前記第１の環状体と対向し平面が環状の第２の環状体20に十字に組まれた棒材からなる底部材21を備えた底部22と、第１の環状体19と第２の環状体20との間に位置し、第１の中間架設部材９に設けられた平面が環状の第３の環状体23とから構成されている。
【００２３】
また、第１の環状体19、第２の環状体20及び第３の環状体23は、ともに平面が円状な環状（円環状）に形成されたものであるが、環状の形状については円状でなくとも構わないものとする。
【００２４】
なお、竿支持具１を構成する前記支持部材１,１、支脚２,２、支持部材側架設部材４たる上部架設部材６、下部架設部材８、第１の中間架設部材９及び第２の中間架設部材10、軸受14,14及びホルダ18,18は、ステンレスなどの金属製の棒材から成り、溶接によって一体化している。
【００２５】
以上の構成について作用を述べると、竿支持具３は図３に示すような支持部材１と支脚２が略平行な状態から図１のような角αまで支脚２が開した状態まで開閉自在に構成されており、支持部材１に対し支脚２が角αまで開した状態になると、支脚２に形成されたストッパ17が支持部材１の上部架設部材６に直交するように当接し、支脚２の回動軸16による支持部材１に対する開度を規制する。このようにして、上部架設部材６がストッパ17に当接することにより、支持部材１が支脚２に支持される構成となり、竿支持具３の設置面（地面）Ｍに対し支持部材１の下部架設部材８と支脚２の脚部13が当接し支持する。
【００２６】
竿支持用のホルダ18には、第１の環状体19から釣竿Ｓの柄を挿入し、底部23の底部材22により竿Ｓの柄の底が支持されホルダ18に釣竿Ｓは装着される。
【００２７】
前述したように支持部材１,１に対し角αに開脚した支脚２,２の竿支持具３を管理釣り場、防波堤又は浜辺等の地面Ｍに設置し、前述したように釣竿Ｓをホルダ18に装着する。そして図４に示すように、釣竿Ｓは地面Ｍに対し仰角βをなすように支持されている。この釣竿Ｓの地面Ｍに対しての仰角βはストッパ17の角αを変更することにより適宜調整が可能であり、角αを大きく形成することにより、仰角βは小さくなり（つまり釣竿Ｓは地面Ｍに対し、より寝かせた状態）、角αを小さく形成することにより仰角βは大きくなる（つまり釣竿Ｓは地面Ｍに対し、より立てた状態）。また、図４に示すように支脚２,２を支持部材１,１により長く形成することにより、釣竿Ｓの装着時に釣竿Ｓと一体化した竿支持具３の重心が図４において右側に移動することにより、地面Ｍに対し支持部材１,１の下部架設部材８が離れることで、竿支持具３のバランスが崩れ、竿支持具３が倒れることを防ぐことができる。
【００２８】
また、竿支持具３は未使用時には図３に示すように支持部材１と支脚２を略平行になるように畳むことことにより持ち運び易くなり、運搬スペースも少なくて済む。さらに竿支持具３は棒材により構成されているため、竿支持具３を軽量及び簡単なメンテナンスで済む構成にすることができる。
【００２９】
そして、本実施例の変形例としては、図５,６に示す竿支持用のホルダ18の数を一つとし、軸受14を第１の中間架設部材９付近に設け、支脚２,２を短く形成した竿支持具３のように、竿支持具３に設ける竿支持用のホルダ18の数、軸受14,14の取付け位置及び支脚２,２の長さを適宜変更して組み合わせたものでも構わないものとする。
【００３０】
さらに、環状体19,23,20をそれぞれ上部架設部材６、第１の中間架設部材９及び第２の中間架設部材10に折畳み可能に設けたもの、又は前記の３つの環状体19,23,20の縦間隔を随時変えることが出来るようにしたものでも構わないものとする。
【００３１】
以上のように、前記実施例では請求項１に対応して、左右一対の支持部材１,１と、前記左右一対の支持部材１,１の間を架設する支持部材側架設部材４と、前記支持部材側架設部材４に設けられた竿支持用のホルダ18,18と、前記左右一対の支持部材１,１の背面に回動自在に設けられた左右一対の支脚２,２と、前記左右一対の支持部材１,１と前記左右一対の支脚２,２との間に設けられたストッパ17,17とを備えたことにより、竿Ｓをホルダ17に装着することにより釣竿Ｓが傷付くことを防ぐことができるとともに、竿支持具３が折畳み可能なためコンパクトに折畳み持ち運ぶことができる。
【００３２】
また、前記実施例では請求項２に対応して、前記左右一対の支持部材１,１、前記支持部材側架設部材４及び前記左右一対の支脚２,２が棒材により形成されたことにより、竿支持具３を軽量及び整備し易い構成にすることができる。
【００３３】
さらに、前記実施例では請求項３に対応して、前記左右一対の支持部材１,１を平行に配した間に複数の前記支持部材側架設部材４を平行に架設し、前記左右一対の支脚２,２の下端部11,11に支脚側架設部材12を架設したことにより、支持部材１,１及び支脚２,２の強度を高めるので、竿支持具３全体の強度が増し、釣竿Ｓを支持した状態での安定性を向上させることができる。
【００３４】
また、前記実施例では請求項４に対応して、前記左右一対の支持部材１,１の背面に軸受14,14を設け、前記左右一対の支脚２,２の上端部15,15に設けらた回動軸16,16を前記軸受14,14に回動自在に軸支し、前記回動軸16,16の端部にはストッパ17,17が設けられていることにより、支脚２,２を支持部材１,１に回動自在にする構成及び支脚２,２の回動を制限する構成を簡単なものにすることができる。
【００３５】
さらに、前記実施例では請求項５に対応して、前記ホルダ18は、前記支持部材側架設部材４の少なくとも一方に設けられ平面が環状の第１の環状体19と、該第１の環状体19の下方に設けられ前記支持部材側架設部材４の少なくとも一方に前記第１の環状体19に対向して平面が環状の第２の環状体20を設けると共に該第２の環状体20の内側下部に底部材21を備えた底部22を設けたことにより、釣竿Ｓを支持するホルダ18の構成を簡単なものにすることができる。
【００３６】
または、前記実施例では請求項６に対応して、前記環状体19,20,23を平面円状に形成したことにより、釣竿Ｓの脱着性及び装着時の釣竿Ｓの安定性についても優れたものにすることができる。
【実施例２】
【００３７】
図７は、本発明の実施例２を示しており、前記第１実施例と同一機能を有する部分には同一符号を付し、重複する部分の説明を省略し、異なる部分についてのみ説明する。本実施例では、上部架設部材６と第１の中間架設部材及び第２の中間架設部材に平面円状に形成された竿支持用のホルダ24を並設したものである。
【００３８】
前記のホルダ21は、上部架設部材６側に開口部25が形成された円筒状のものである。
【００３９】
以上の構成について作用を述べると、竿支持用のホルダ24には、開口部25から釣竿Ｓの柄を挿入し、円筒状のホルダ24内部の底により釣竿Ｓの柄の底が支持されホルダ24に釣竿Ｓは装着される。
【００４０】
そして、支持部材１に対し角αに支脚２を開脚した状態の竿支持具３を管理釣り場、防波堤又は浜辺等の地面Ｍに設置した後、前述したように釣竿Ｓをホルダ24に装着する。
【００４１】
以上のように、前記実施例では請求項６に対応して、前記環状体24を平面円状に形成したことにより、釣竿Ｓの脱着性及び装着時の釣竿Ｓの安定性についても優れたものにすることができる。
【図面の簡単な説明】
【００４２】
【図１】本考案の実施例１における竿支持具の使用状態を示す斜視図である。
【図２】本考案の実施例１における竿支持具の要部拡大斜視図である。
【図３】本考案の実施例１における竿支持具の未使用状態を示す斜視図である。
【図４】本考案の実施例１における竿支持具に竿を装着した状態での使用状態を示す側面図である。
【図５】本考案の実施例１における竿支持具の変形例における使用状態を示す斜視図である。
【図６】本考案の実施例１における竿支持具の変形例における未使用状態を示す斜視図である。
【図７】本考案の実施例２における竿支持具の使用状態を示す斜視図である。
【符号の説明】
【００４３】
１  支持部材
２  支脚
３  竿支持具
６  上部架設部材（支持部材側架設部材）
８  下部架設部材（支持部材側架設部材）
９  第１の中間架設部材（支持部材側架設部材）
10  第２の中間架設部材（支持部材側架設部材）
12  支脚側架設部材
14  軸受
16  回動軸
17  ストッパ
18,24  ホルダ
19  第１の環状体
20  第２の環状体
21  底部材
22  底部
【図１】
0003119400.tif 000003
【図２】
0003119400.tif 000004
【図３】
0003119400.tif 000005
【図４】
0003119400.tif 000006
【図５】
0003119400.tif 000007
【図６】
0003119400.tif 000008
【図７】
0003119400.tif 000009